(57)【特許請求の範囲】
【請求項１】
座席シート２と、ローラを上下させる等のマッサージ機構１３を設けた背凭シート３と、前記座席シート２および前記背凭シート３を支持する支持フレーム２３とを有するリラックスチェアにおいて、前記背凭シート３は、左右一対の側部縦フレーム１０の上下両側を上部連結フレーム１１および下部連結フレーム１２により夫々連結して略四角枠形状に形成した背凭骨格フレーム１５の中央に、該背凭骨格フレーム１５と所定間隔をおいて前記マッサージ機構１３を取付け、前記背凭骨格フレーム１５には前記マッサージ機構１３を収容しうる縦長の窓孔３６を有して前記背凭シート３の外面形状を保持するための形状保持用樹脂フレーム３１を取付け、該形状保持用樹脂フレーム３１は、着座者の背、首、頭部等を支持する背面側に合わせた任意に屈曲させた当接面形状に形成し、形状保持用樹脂フレーム３１は、着座者の荷重を支持しうる剛性および着座者の背面が当接したとき適度に撓む弾性を有する合成樹脂成形により一体形成し、該形状保持用樹脂フレーム３１は着座者を支持する剛性構造と弾性構造を兼用すると共に、かつ、前記形状保持用樹脂フレーム３１および前記背凭骨格フレーム１５の外周は前記カバー部材３２により直接一体不可分に包囲して前記背凭シート３の外面形状を形成するように構成し、もって、形状保持用樹脂フレーム３１は、クッション材および該クッション材を支持するクッション支持部材を兼用して前記窓孔３６の部分は除いて前記背凭骨格フレーム１５と前記カバー部材３２とにより三層に構成し、前記カバー部材３２の前面および側部部分４２の夫々の内面にはカバー側係合部４４を有する係合部材４３を設け、該係合部材４３は平板状で弾性を有して形成し、前記形状保持用樹脂フレーム３１の側部裏面および前記窓孔３６の周縁近傍には前記カバー側係合部４４が係合する樹脂フレーム側係合部４５を設けたリラックスチェア。
【請求項２】
請求項１において、前記係合部材４３は、平板状の弾性を有して変形自在の板部４３ｂと芯となる剛性を有する細軸状の芯部４３ａとにより構成し、前記板部４３ｂにはカバー側係合部４４である係合孔４４ａを形成したリラックスチェア。
【発明の詳細な説明】
【０００１】
【産業上の利用分野】
本発明は、リラックスチェアの特に背凭シートの構成に係るものである。
【０００２】
【従来技術】
従来公知公報の存在は不知であるが、ローラが上下する等のマッサージ機構を設けた背凭シートと、該背凭シートを回動自在に取付けた座席シートと、前記座席シートおよび背凭シートを支持する支持フレームとからなり、前記背凭シートは、背凭骨格フレームに着座者の背当たり面形状を形成したクッション材を設け、クッション材の外周をカバー部材により包囲して構成したリラックスチェアは、公知である。
【０００３】
【発明が解決しようとする課題】
前記公知例の背凭シートは、クッション材により着座者の背当たり面形状を形成しているので、高価であるという課題がある。
即ち、背凭シートの中央に縦長のマッサージ機構を設けるため、マッサージ機構の上下および左右側の部分には背凭シートの骨格フレームしか存在しないので、骨格フレームの当たり心地を良好にするには相当の厚みのクッション材を取付けなければならず、取付、組立が面倒であり、高価で、重量が嵩むという課題がある。
また、カバー部材の端末をタッカーで止着していたので、作業が面倒であり、製品使用後のリサイクルも面倒であるという課題がある。
【０００４】
【発明の目的】
製造組立容易な背凭シートの提供、背凭シートの軽量化、カバー部材の端末処理の容易化、リサイクルの容易化、メンテナンスの容易化、コストの削減。
【０００５】
【課題を解決するための手段】
本発明は、座席シート２と、ローラを上下させる等のマッサージ機構１３を設けた背凭シート３と、前記座席シート２および前記背凭シート３を支持する支持フレーム２３とを有するリラックスチェアにおいて、前記背凭シート３は、左右一対の側部縦フレーム１０の上下両側を上部連結フレーム１１および下部連結フレーム１２により夫々連結して略四角枠形状に形成した背凭骨格フレーム１５の中央に、該背凭骨格フレーム１５と所定間隔をおいて前記マッサージ機構１３を取付け、前記背凭骨格フレーム１５には前記マッサージ機構１３を収容しうる縦長の窓孔３６を有して前記背凭シート３の外面形状を保持するための形状保持用樹脂フレーム３１を取付け、該形状保持用樹脂フレーム３１は、着座者の背、首、頭部等を支持する背面側に合わせた任意に屈曲させた当接面形状に形成し、形状保持用樹脂フレーム３１は、着座者の荷重を支持しうる剛性および着座者の背面が当接したとき適度に撓む弾性を有する合成樹脂成形により一体形成し、該形状保持用樹脂フレーム３１は着座者を支持する剛性構造と弾性構造を兼用すると共に、かつ、前記形状保持用樹脂フレーム３１および前記背凭骨格フレーム１５の外周は前記カバー部材３２により直接一体不可分に包囲して前記背凭シート３の外面形状を形成するように構成し、もって、形状保持用樹脂フレーム３１は、クッション材および該クッション材を支持するクッション支持部材を兼用して前記窓孔３６の部分は除いて前記背凭骨格フレーム１５と前記カバー部材３２とにより三層に構成し、前記カバー部材３２の前面および側部部分４２の夫々の内面にはカバー側係合部４４を有する係合部材４３を設け、該係合部材４３は平板状で弾性を有して形成し、前記形状保持用樹脂フレーム３１の側部裏面および前記窓孔３６の周縁近傍には前記カバー側係合部４４が係合する樹脂フレーム側係合部４５を設けたリラックスチェアとしたものである。
本発明は、前記係合部材４３は、平板状の弾性を有して変形自在の板部４３ｂと芯となる剛性を有する細軸状の芯部４３ａとにより構成し、前記板部４３ｂにはカバー側係合部４４である係合孔４４ａを形成したリラックスチェアリラックスチェアとしたものである。
【０００６】
【実施例】
本発明の一実施例を図面により説明すると、１はリラックスチェアであり、座席シート２と背凭シート３を有する。前記座席シート２は左右一対の前後方向の座席側部フレーム４の前端を左右方向の座席側連結フレーム５により連結し、各座席側部フレーム４の間には詳細は省略するがバネ体６を前後に所定間隔を置いて複数並設し、少なくとも、前記座席側部フレーム４および座席側連結フレーム５により座席骨格フレーム７を構成する。８は各座席側部フレーム４の先端に基部を取付けたＵ型フレーム、９はＵ型フレーム８に取付けた横杆である。
【０００７】
前記背凭シート３は、左右一対の側部縦フレーム１０を設け、側部縦フレーム１０の上部は左右方向の上部連結フレーム１１により連結し、左右の側部縦フレーム１０の下部は左右方向の下部連結フレーム１２により連結し、前記側部縦フレーム１０および上部連結フレーム１１および下部連結フレーム１２により背凭骨格フレーム１５を構成する。
背凭骨格フレーム１５の前記側部縦フレーム１０、１０の左右中間位置にはローラー４７やモーター（図示省略）等からなるマッサージ機構１３を取付ける。
【０００８】
前記座席骨格フレーム７の各座席側部フレーム４の基部には取付孔１６およびストッパー用孔１７を形成し、前記背凭骨格フレーム１５の側部縦フレーム１０には前記取付孔１６およびストッパー用孔１７に対応する背凭取付用ブラケット１８を設ける。背凭取付用ブラケット１８には前記ストッパー用孔１７に対応する位置に背凭側ストッパー用孔１９を形成し、前記取付孔１６に対応する位置が溝底となり、かつ、背凭側ストッパー用孔１９を中心とする円弧形状の取付軸係合溝２０を形成する。
しかして、２３はリラックスチェア１の支持フレームであり、支持フレーム２３には左右一対の支持ブラケット２４を設ける。支持ブラケット２４には前記取付孔１６に対応する支持側取付孔２５および該支持側取付孔２５を中心とする円弧形状のストッパー用係合孔２６を形成する。
【０００９】
前記支持側取付孔２５には座席骨格フレーム７の取付孔１６を合わせて取付軸２７により取付ける。取付軸２７は段部２８を有する段付き軸により形成する。即ち、支持ブラケット２４の内側に座席骨格フレーム７の取付孔１６を位置させ、支持ブラケット２４の外側から取付軸２７を螺合させると、支持ブラケット２４の内面と座席骨格フレーム７との間に段部２８により隙間ができ、段部２８に背凭骨格フレーム１５の取付軸係合溝２０を係合させる。
この状態では、背凭骨格フレーム１５は取付軸２７中心に回動自在であるので、次に、座席骨格フレーム７のストッパー用孔１７と背凭骨格フレーム１５の背凭側ストッパー用孔１９と、支持ブラケット２４のストッパー用係合孔２６とを一致させ、ストッパー軸２９により止着し、ストッパー軸２９は前記ストッパー用係合孔２６内のみ移動可能に構成する。３０は取付軸２７およびストッパー軸２９の夫々に螺合させるナットである。
【００１０】
しかして、前記背凭シート３は、背凭シート３の外面（前面）形状を保持する形状保持用樹脂フレーム３１を前記背凭骨格フレーム１５に取付け、形状保持用樹脂フレーム３１の外周にカバー部材３２を取付けて構成する。即ち、前記形状保持用樹脂フレーム３１は、 着座者の荷重を支持する剛性および着座者の背面が当接したとき適度に撓む弾性を有する合成樹脂により形成すると共に、形状保持用樹脂フレーム３１は着座者の背面側に合わせて任意に屈曲させた当接面形状に形成し、該形状保持用樹脂フレーム３１の外周をカバー部材３２により包囲して背凭シート３を構成する。
したがって、形状保持用樹脂フレーム３１は、その表面（前面）の形状を、着座者の背、首、頭部を支持するのに適当な形状に形成し、形状保持用樹脂フレーム３１の裏面（後面）には後方に突き出る突出部３３を形成し、突出部３３は背凭骨格フレーム１５の前記側部縦フレーム１０、１０に設けた取付用ブラケット１４の取付孔３４に当接させ、取付用ブラケット１４の裏側から螺子３５により固定する。
【００１１】
また、形状保持用樹脂フレーム３１の左右中央部には縦に長い窓孔３６を形成し、該窓孔３６内にマッサージ機構１３を配置する。
また、前記形状保持用樹脂フレーム３１の裏面所定位置には、後方に突き出る縦横の補強用リブ３７を設け、該補強用リブ３７の一部を背凭骨格フレーム１５に当接させる。実施例では、前記突出部３３は補強用リブ３７と一体的に形成している。
前記カバー部材３２は、後面部分３８の中央に縦の切れ目を設け、該切れ目にファスナー３９の一対の係合歯部４０を夫々逢着して開閉自在の接合部４１を設ける。
【００１２】
しかして、前記カバー部材３２は、その前面部分および側部部分４２の夫々の内面に係合部材４３を取付ける。係合部材４３は、当業者はトリムコードと呼ぶ芯となる外端縁の細軸状の芯部４３ａと平板状の弾性を有して変形自在の板部４３ｂとにより構成し、板部４３ｂにはカバー側係合部４４である係合孔４４ａを形成し、該係合孔４４ａを前記形状保持用樹脂フレーム３１に設けた樹脂フレーム側係合部４５に係合止着する。実施例の樹脂フレーム側係合部４５は、板金を切り起こしたような爪形状に、樹脂成形時に一体成形により形成している。
また、図８は係合部材４３の第２実施例を示し、係合部材４３は芯部４３ａの先端を鉤状に屈曲させて屈曲鉤状係合部４６に形成し、屈曲鉤状係合部４６を前記樹脂フレーム側係合部４５の爪部に引っ掛けるように係合させる。
【００１３】
図中、４８は上下移動軸、４９はギヤ、５０は前記側部縦フレーム１０に設けたラックギヤ、５１は座席シート２と背凭シート３とを固定状態のままリラックスチェア１全体を取付軸２７中心に回動させたとき、任意位置（角度）で支持するロックシリンダ（油圧式無段階ロックシリンダ）、５２はブラケット、５３はピストンロッド、５４は操作用ワイヤー、５５はアームレスト、５６はレバーであり、レバー５６を操作して操作用ワイヤー５４を牽引すると、ロックシリンダ５１はフリー状態になり、レバー５６を離すとロックシリンダ５１はピストンロッド５３を任意の位置にて固定する。
【００１４】
【作用】
次に作用を述べる。
本発明は前記構成のため、形状保持用樹脂フレーム３１の裏面に設けた突出部３３を背凭骨格フレーム１５に設けた取付用ブラケット１４の取付孔３４に当接させ、取付用ブラケット１４の裏側から螺子３５により固定して、背凭骨格フレーム１５に形状保持用樹脂フレーム３１を固定する。
次に、形状保持用樹脂フレーム３１および背凭骨格フレーム１５の外周にカバー部材３２を被せ、カバー部材３２の裏側に設けた係合部材４３のカバー側係合部４４を形状保持用樹脂フレーム３１に設けた樹脂フレーム側係合部４５に係合させて取付け、背凭シート３を組み立てる。
【００１５】
この場合、形状保持用樹脂フレーム３１は、 着座者の荷重を支持する剛性を有する合成樹脂により形成し、形状保持用樹脂フレーム３１により着座者の背側の当接面形状を形成し、該形状保持用樹脂フレーム３１の外周をカバー部材３２により包囲して背凭シート３を構成しているから、高価なウレタンを厚く使用して座面（この場合は背当たり面）形状を形成するのに比し、安価に製造できる。
また、通常の背凭シートは、左右の側部フレームの間にバネ材を設け、バネ材の前面にクッション材を設けて剛性構造および弾性構造を構成しているが、リラックスチエア１の場合、中央にマッサージ機構１３有しているのでバネ材を設けるの困難であり、また、中央のマッサージ機構１３と側部フレーム１０の狭い空間内にはこのような剛性構造および弾性構造を設けるのも相当に構造を複雑にして高価となるが、本発明では、形状保持用樹脂フレーム３１を設けるだけで、これらを達成でき、部品点数の少ない頗る簡単な構成にすることができる。
【００１６】
また、背凭骨格フレーム１５に形状保持用樹脂フレーム３１とカバー部材３２を取付けるだけであるので、取付・組立が容易であり、作業効率を向上させ、コストの削減に貢献する。
また、カバー部材３２の裏面所定位置には係合部材４３を設け、該係合部材４３に対応する位置の形状保持用樹脂フレーム３１には樹脂フレーム側係合部４５を設けているから、係合部材４３のカバー側係合部４４を樹脂フレーム側係合部４５に係合させると、カバー部材３２が形状保持用樹脂フレーム３１に密着して不動状態に被せられる。したがって、カバー部材３２は皺が寄らず、外観の見栄えを向上させるだけでなく、皺によって一部が厚くなることを防止するので着座感を向上させる。
【００１７】
このとき、前記樹脂フレーム側係合部４５は、形状保持用樹脂フレーム３１の側部裏面および窓孔３６の周縁近傍に配置しているから、作業スペースを充分に確保でき、係合部材４３との係合作業も容易にでき、また、カバー部材３２を効果的に引張って皺の発生を防止する。
また、係合部材４３は、当業者はトリムコードと呼ぶ芯となる外端縁の細軸状の芯部４３ａと平板状の弾性を有して変形自在の板部４３ｂとにより構成しているから、板部４３ｂは形状保持用樹脂フレーム３１に合わせて変形してフィット性を良好にして外観状の見栄えを良好にでき、細軸状の芯部４３ａの剛性により取付（係合）作業の操作性を向上させることができる。
【００１８】
また、カバー側係合部４４である係合孔４４ａは樹脂フレーム側係合部４５に引っ掛けるだけで良いので、作業性が良い。
また、図８は係合部材４３の第２実施例では、芯部４３ａの先端を鉤状に屈曲させて屈曲鉤状係合部４６に形成しているから、係合面積が広く、カバー部材３２を効果的に引張って皺の発生を防止する。
しかして、カバー部材３２の後面部分３８の中央に縦の切れ目を設け、該切れ目にファスナー３９の一対の係合歯部４０を夫々逢着しているから、ファスナー３９を開けると、カバー部材３２の裾幅を大きくして被せるのが容易になり、また、カバー部材３２を装着した後も、ファスナー３９を開けると、背凭シート３内を露出させることができ、メンテナンスを容易にする。また、ファスナー３９を開けてカバー部材３２の裾幅を大きくすると、取り外すのも容易になり、着脱自在構成に簡単にでき、この点で、カバー部材３２のメンテナンスも容易にする。
【００１９】
なお、前記カバー部材３２と形状保持用樹脂フレーム３１の間に、クッション作用を期待してクッション材５７を設けることがあるが、この場合、クッション材５７はクッション作用を期待するのであって、背凭シート３の着座者の背当たり面を形成保持するためには作用せず、背当たり面の形状保持は形状保持用樹脂フレーム３１により行う。また、クッション材５７はカバー部材３２の裏面に取りつけておけば、作業は頗る容易にできる。
しかして、次に、前記背凭シート３と座席シート２との組立は、支持フレーム２３を組み立て、次に、支持フレーム２３に設けた支持ブラケット２４の支持側取付孔２５に座席骨格フレーム７の取付孔１６を合わせて取付軸２７により取付け、取付軸２７の段部２８に背凭骨格フレーム１５の背凭取付用ブラケット１８の取付軸係合溝２０を係合させる。
【００２０】
したがって、座席骨格フレーム７のストッパー用孔１７と背凭骨格フレーム１５の背凭側ストッパー用孔１９は夫々取付軸２７中心に回動自在状態になるので、座席シート２の先端を上下および背凭シート３の先端を前後させると、ストッパー用孔１７および背凭側ストッパー用孔１９と、支持ブラケット２４のストッパー用係合孔２６との三者を簡単に一致させることができ、この状態でストッパー軸２９により止着する。
次に、ロックシリンダ５１を取付けると、リラックスチェア１の組み立ては完了する。
この場合、取付軸２７は段部２８を形成し、段部２８に背凭骨格フレーム１５の背凭取付用ブラケット１８の取付軸係合溝２０を係合させるから、背凭シート３はストッパー軸２９による取付けだけですみ、作業が容易になる。
【００２１】
また、取付軸２７の段部２８に背凭骨格フレーム１５の背凭取付用ブラケット１８の取付軸係合溝２０を係合させ、座席骨格フレーム７のストッパー用孔１７と背凭骨格フレーム１５の背凭側ストッパー用孔１９はストッパー軸２９により止着するから、背凭シート３は、取付軸２７とストッパー軸２９の２軸で座席シート２に固定されることになり、この固定状態のまま取付軸２７中心に回動する。
しかして、レバー５６を操作して操作用ワイヤー５４を牽引するとロックシリンダ５１はフリー状態になるから、背凭シート３に荷重を掛けると、リラックスチェア１は取付軸２７中心に座席シート２側を上動させ、反対に、座席シート２に荷重を掛けると、背凭シート３が取付軸２７中心に起き上がる。
【００２２】
この場合、ストッパー軸２９は支持ブラケット２４のストッパー用係合孔２６に係合しているから、リラックスチェア１を取付軸２７中心に回動させると、ストッパー軸２９がストッパー用係合孔２６の終端に当接し、リラックスチェア１の過剰回動を防止する。
したがって、リラックスチェア１の過剰回動を防止するので、ロックシリンダ５１のピストンロッド５３の過剰伸縮を防止でき、耐久性を向上させる。また、特別な部品を使用することなく、座席シート２の座席骨格フレーム７と背凭シート３の背凭骨格フレーム１５を固定するストッパー軸２９と、リラックスチェア１を取付ける支持フレーム２３に形成したストッパー用係合孔２６により過剰回動防止機構を構成できる。
【００２３】
【効果】
本発明は、座席シート２と、ローラを上下させる等のマッサージ機構１３を設けた背凭シート３と、前記座席シート２および前記背凭シート３を支持する支持フレーム２３とを有するリラックスチェアにおいて、前記背凭シート３は、左右一対の側部縦フレーム１０の上下両側を上部連結フレーム１１および下部連結フレーム１２により夫々連結して略四角枠形状に形成した背凭骨格フレーム１５の中央に、該背凭骨格フレーム１５と所定間隔をおいて前記マッサージ機構１３を取付け、前記背凭骨格フレーム１５には前記マッサージ機構１３を収容しうる縦長の窓孔３６を有して前記背凭シート３の外面形状を保持するための形状保持用樹脂フレーム３１を取付け、該形状保持用樹脂フレーム３１は、着座者の背、首、頭部等を支持する背面側に合わせた任意に屈曲させた当接面形状に形成し、形状保持用樹脂フレーム３１は、着座者の荷重を支持しうる剛性および着座者の背面が当接したとき適度に撓む弾性を有する合成樹脂成形により一体形成し、該形状保持用樹脂フレーム３１は着座者を支持する剛性構造と弾性構造を兼用すると共に、かつ、前記形状保持用樹脂フレーム３１および前記背凭骨格フレーム１５の外周は前記カバー部材３２により直接一体不可分に包囲して前記背凭シート３の外面形状を形成するように構成し、もって、形状保持用樹脂フレーム３１は、クッション材および該クッション材を支持するクッション支持部材を兼用して前記窓孔３６の部分は除いて前記背凭骨格フレーム１５と前記カバー部材３２とにより三層に構成し、前記カバー部材３２の前面および側部部分４２の夫々の内面にはカバー側係合部４４を有する係合部材４３を設け、該係合部材４３は平板状で弾性を有して形成し、前記形状保持用樹脂フレーム３１の側部裏面および前記窓孔３６の周縁近傍には前記カバー側係合部４４が係合する樹脂フレーム側係合部４５を設けたリラックスチェアとしたものであるから、窓孔３６があるので形状保持用樹脂フレーム３１をマッサージ機構１３に干渉することなく設けて背凭シート３の前面形状を構成することができ、着座者の背中は形状保持用樹脂フレーム３１に支持されるのでクッション材を使用することなく着座感を良好にでき、形状保持用樹脂フレーム３１および背凭骨格フレーム１５の外周をカバー部材３２により包囲するので、取付、組立が容易、軽量であるばかりでなく、高価なクッション材を多量に使用する必要もなく、安価にできる効果を奏し、また、マッサージ機構１３の周囲の狭い空間に形状保持用樹脂フレーム３１を設けることで、着座者を支持する剛性構造と着座者の着座感を向上させる弾性構造の両者を両立させて設けることができる効果を奏し、形状保持用樹脂フレーム３１は合成樹脂の一体成形により形成しているので組立が不要であり、軽量安価に製造でき、カバー部材３２の取付に金属製タッカーを使用しないですみ、リサイクルが容易にできる効果を奏し、また、カバー側係合部４４を樹脂フレーム側係合部４５に係合すればよく、取付が容易にでき、樹脂フレーム側係合部４５は窓孔３６の周縁近傍および側部裏面にあるので作業スペースが充分にあって係合作業を頗る容易にできる効果を奏する。
本発明は、前記係合部材４３は、平板状の弾性を有して変形自在の板部４３ｂと芯となる剛性を有する細軸状の芯部４３ａとにより構成し、前記板部４３ｂにはカバー側係合部４４である係合孔４４ａを形成したリラックスチェアとしたものであるから、板部４３ｂは形状保持用樹脂フレーム３１に合わせて変形してフィット性を良好にして外観状の見栄えを良好にでき、細軸状の芯部４３ａの剛性により取付（係合）作業の操作性を向上させることができ、また、カバー側係合部４４である係合孔４４ａは樹脂フレーム側係合部４５に引っ掛けるだけで良いので、作業性が良い。
【図面の簡単な説明】
【図１】    リラックスチェアの側面図。
【図２】    フレームの全体斜視図。
【図３】    背凭シートの分解斜視図。
【図４】    係合部材４３のカバー側係合部４４と樹脂フレーム側係合部４５の斜視図。
【図５】    背凭シートの一部断面図。
【図６】    カバー部材および形状保持用樹脂フレームの一部判断した状態の斜視図。
【図７】    リラックスチェアの回動状態側面図。
【図８】    係合部材と樹脂フレーム側係合部の第２実施例の斜視図。
【符号の説明】
１…リラックスチェア、２…座席リラックスチェア、３…背凭リラックスチェア、４…座席側部フレーム、５…座席側連結フレーム、６…バネ体、７…座席骨格フレーム、８…Ｕ型フレーム、９…横杆、１０…側部縦フレーム、１１…上部連結フレーム、１２…下部連結フレーム、１３…マッサージ機構、１４…ブラケット、１５…背凭骨格フレーム、１６…取付孔、１７…ストッパー用孔、１８…背凭取付用ブラケット、１９…背凭側ストッパー用孔、２０…取付軸係合溝、２３…支持フレーム、２４…支持ブラケット、２５…支持側取付孔、２６…ストッパー用係合孔、２７…取付軸、２８…段部、２９…ストッパー軸、３０…ナット、３１…形状保持用樹脂フレーム、３２…カバー部材、３３…突出部、３４…取付孔、３５…螺子、３６…窓孔、３７…補強用リブ、３８…後面部分、３９…ファスナー、４０…係合歯部、４１…接合部、４２…側部部分、４３…係合部材、４４…カバー側係合部、４５…樹脂フレーム側係合部、４６…屈曲鉤状係合部、４７…ローラー、４８…上下移動軸、４９…ギヤ、５０…ラックギヤ、５１…ロックシリンダ、５２…ブラケット、５３…ピストンロッド、５４…操作用ワイヤー、５５…アームレスト、５６…レバー、５７…クッション材。
【図１】
0003832920.tif 000002
【図２】
0003832920.tif 000003
【図３】
0003832920.tif 000004
【図４】
0003832920.tif 000005
【図５】
0003832920.tif 000006
【図６】
0003832920.tif 000007
【図７】
0003832920.tif 000008
【図８】
0003832920.tif 000009